(57)【要約】【課題】ＴＤＤの送信領域外の異常データによるスプリアスの放射を防止することができるＷｉＭＡＸ用の無線装置２を提供する。【解決手段】ＷｉＭＡＸ用の無線装置２において、当該無線装置２は、無線制御部１と２本以上の高速シリアル伝送で接続され、インターフェース規格にＣＰＲＩ或いはＯＢＳＡＩを採用し、ＴＤＤ方式により、ＯＦＤＭＡシンボルを送受する機能を有しており、そして、前記無線制御部１からの受信信号に含まれるＵ−Ｐｌａｎｅの先頭を特定することを可能とするＩｎｄｉｃａｔｏｒを検出してＴＤＤ比率に基づいて、当該受信信号に含まれるＵ−ＰｌａｎｅにおけるＴＤＤ送信領域外のデータを０データへ置き換える手段を備えた。【選択図】  図１
2010068133.tif 000002
【特許請求の範囲】
【請求項１】
ＷｉＭＡＸ用の無線装置において、
当該無線装置は、無線制御部と２本以上の高速シリアル伝送で接続され、インターフェース規格にＣＰＲＩ或いはＯＢＳＡＩを採用し、ＴＤＤ方式により、ＯＦＤＭＡシンボルを送受する機能を有しており、
前記無線制御部からの受信信号に含まれるＵ−Ｐｌａｎｅの先頭を特定することを可能とするＩｎｄｉｃａｔｏｒを検出してＴＤＤ比率に基づいて、当該受信信号に含まれるＵ−ＰｌａｎｅにおけるＴＤＤ送信領域外のデータを０データへ置き換える手段を備えた、
ことを特徴とする無線装置。
【発明の詳細な説明】
【技術分野】
【０００１】
本発明は、例えば、ＷｉＭＡＸ用の無線装置に関し、特に、ＴＤＤ（Ｔｉｍｅ  Ｄｉｖｉｓｉｏｎ  Ｄｕｐｌｅｘ）の送信（ＴＸ）領域外の異常データによるスプリアスの放射を防止する策を有する無線装置に関する。
【背景技術】
【０００２】
まず、基地局装置（ＢＴＳ：Ｂａｓｅ  Ｔｒａｎｓｃｅｉｖｅｒ  Ｓｔａｔｉｏｎ）と送信増幅器との接続について説明する。
例えば、デジタル移動体通信では、エリア全域をカバーするために、高出力の送信増幅器が用いられる。高出力の送信増幅器では、送信増幅器が基地局装置と同一の架に設置されることが主流であった。
【０００３】
しかしながら、送信増幅器がアンテナに接続される場合には、同軸ケーブルによって接続されるが、装置の保守上から、送信増幅器とアンテナとの間は５０ｍ〜２００ｍも離されることがあり、その間での劣化が問題となっていた。
また、別の問題として、電力増幅器（ＰＡ：Ｐｏｗｅｒ  Ａｍｐｌｉｆｉｅｒ）は基地局装置の一部として取り扱われることが常識であり、このため、基地局装置が各地へ分散して、保守上や運用コスト上で問題があった。
【０００４】
これらの問題を解決するために、ＲＯＦ（Ｒａｄｉｏ  Ｏｎ  Ｆｉｂｅｒ）やＲＲＨ（Ｒｅｍｏｔｅ  Ｒａｄｉｏ  Ｈｅａｄ）といった概念が生み出されており、今後の主流になりつつある。この技術では、アンテナに近い無線部を基地局装置から切り離して、両者を光ファイバで接続することで、上記した問題を解決することが図られる。
このような光ファイバを用いた技術は、例えば、既存の設備を利用する場合には低価格で使用することが可能であり、運用コストの低減が可能であることや、また、各地へ分散するものは、大規模な基地局装置ではなく、比較的軽微な無線部分だけであるということから、保守上も好ましい形態となっている。
【０００５】
また、光ファイバでは、伝送ロスをなくすためにも、デジタルで高速シリアル伝送を行うことが優位である。ＣＰＲＩ（Ｃｏｍｍｏｎ  Ｐｕｂｌｉｃ  Ｒａｄｉｏ  Ｉｎｔｅｒｆａｃｅ）やＯＢＳＡＩ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）のように、標準規格も制定されている。
【０００６】
また、無線制御部（ＲＥＣ：Ｒａｄｉｏ  Ｅｑｕｉｐｍｅｎｔ  Ｃｏｎｔｒｏｌ）と無線部（ＲＥ：Ｒａｄｉｏ  Ｅｑｕｉｐｍｅｎｔ）との接続の仕方についても幾つかの方法がある。以下では、ＲＥＣの一例であるＢＴＳ及びＲＥの一例であるＴＲＸ−ＡＭＰ（送受信の増幅器）について説明する。
例えば、ＯＢＳＡＩを使用したＢＴＳとＴＲＸ−ＡＭＰとの接続の仕方としては、１台のＢＴＳに対して複数個のＴＲＸ−ＡＭＰを接続する場合や、１台のＴＲＸ−ＡＭＰに対して２台のＢＴＳを接続する場合などがあり、更に、１台のＢＴＳに対して１台のＴＲＸ−ＡＭＰを接続して、ＴＲＸ−ＡＭＰとＴＲＸ−ＡＭＰとの間を接続するカスケード接続と言われるものまである。
【０００７】
図３（ａ）〜（ｃ）には、ＢＴＳとＴＲＸ−ＡＭＰとの接続の例を示してある。
具体的には、図３（ａ）には、１台のＢＴＳ１０１に２台のＴＲＸ−ＡＭＰ１０２、１０３のそれぞれを接続した構成例を示してある。
図３（ｂ）には、２台のＢＴＳ１１１、１１２のそれぞれに１台のＴＲＸ−ＡＭＰ１１３を接続した構成例を示してある。
図３（ｃ）には、１台のＢＴＳ１２１に２台のＴＲＸ−ＡＭＰ１２２、１２３をカスケード接続した構成例を示してある。
【０００８】
また、ＷｉＭＡＸ用の基地局装置或いはＡＭＰは、装置として基地局装置とＡＭＰとを一体型としたものが現時点では主流であり、基地局装置とＡＭＰとが長同軸ケーブルや光ファイバなどで距離が離れている運用は応用として考えられる。
ＷｉＭＡＸでは、基地局装置とＡＭＰとが一体型となって、基地局装置とＡＭＰは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）或いはＬＡＮ（Ｌｏｃａｌ  Ａｒｅａ  Ｎｅｔｗｏｒｋ）ケーブルなどで接続され、高速シリアルインターフェース（Ｉ／Ｆ）としてはＣＰＲＩ／ＯＢＳＡＩが使用されている。
【０００９】
次に、スイッチオーバー（Ｓｗｉｔｃｈｏｖｅｒ）の定義と冗長構成について説明する。
ＣＰＲＩ／ＯＢＳＡＩ対応のＴＲＸ−ＡＭＰは、一般的に、２系統のＣＰＲＩ／ＯＢＳＡＩを搭載しており、一つの系で常時運用を行い、もう一方の系では回線異常時のバックアップを行う、という冗長構成をとっている。具体的には、運用中の回線でＬＯＳ（Ｌｏｓｓ  Ｏｆ  Ｓｉｇｎａｌ）やＬＯＦ（Ｌｏｓｓ  Ｏｆ  Ｆｒａｍｅ）の異常が発生して、使用することができなくなった場合には、もう一方の系へ切り替える動作を行う。
また、回線にエラーが無い時においても、ＢＴＳ側の制御により系を切り替える動作を行うことを可能にもしておく。この時の切り替え動作をスイッチオーバーと称す。
【００１０】
ＣＰＲＩやＯＢＳＡＩのＬＯＳ或いはＬＯＦの検出方法は異なる。ＯＢＳＡＩの場合には、ＣＰＲＩのようにＬＯＳ、ＬＯＦに関して検出回数は明確でなく、ベンダー（Ｖｅｎｄｏｒ）が柔軟に決めることができる。
しかしながら、ＷｉＭＡＸ用のＴＲＸ−ＡＭＰなどは、ＭＩＭＯ（Ｍｕｌｔｉｐｌｅ  Ｉｎｐｕｔ  Ｍｕｌｔｉｐｌｅ  Ｏｕｔｐｕｔ）対応などにより、アンテナ（Ａｎｔｅｎｎａ）を２系統持つことが一般的であり、この場合、Ｕ−Ｐｌａｎｅデータ（ＩＱデータ）に対しては冗長構成をとることができない。但し、Ｃ−Ｐｌａｎｅデータ（Ｌａｙｅｒ２データ）やデジタル部の動作クロックに関しては冗長構成をとることができる。（Ｌａｙｅｒ２データが別々に通信される構成とすることもできる。）
【００１１】
次に、ＷｉＭＡＸシステムのＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボルについて説明する。
ＷｉＭＡＸシステムにおけるＵ−Ｐｌａｎｅデータ（ＩＱデータ）については、ＴＤＤ方式により、ＯＦＤＭＡシンボルを送受することで、基地局装置と端末装置との間で情報通信が可能となる。そのＯＦＤＭＡシンボルでは、ＴＤＤ方式を採用しており、送信側（ＴＸ側）と受信側（ＲＸ側）の比率が送信最大７４．５％から送信最大４４．５％まで可変となり、１フレームの周期が５ｍｓとなり、５ｍｓの時間をＴＸとＲＸで比率により分割する。
【００１２】
日本におけるＷｉＭＡＸの仕様の制定としては、ＷｉＭＡＸ  ＦＯＲＵＭにより仕様が制定されている。
図４（ａ）の表には、ＷｉＭＡＸ  ＦＯＲＵＭの仕様において、ＯＦＤＭＡシンボルの５ＭＨｚ、１０ＭＨｚ、２０ＭＨｚにおけるＦＦＴポイント数を示してある。なお、周波数としては、ＦＡの周波数［ＭＨｚ］を示してある。
図４（ｂ）の表には、ＷｉＭＡＸ  ＦＯＲＵＭの仕様において、ＯＦＤＭＡシンボルの５ＭＨｚ、１０ＭＨｚ、２０ＭＨｚにおけるその他の情報を示してある。その他の情報としては、サンプリングファクタ（ｓａｍｐｌｉｎｇ  ｆａｃｔｏｒ）、ガードインターバル（ＣＰ：Ｃｙｃｌｉｃ  Ｐｒｅｆｉｘ）、フレーム長（Ｆｒａｍｅ  Ｌｅｎｇｔｈ）［ｍｓ］、ＴＴＧ（Ｔｒａｎｓｍｉｔ／Ｒｅｃｅｉｖｅ  Ｔｒａｎｓｉｔｉｏｎ  Ｇａｐ）［μｓ］、ＲＴＧ（Ｒｅｃｅｉｖｅ／Ｔｒａｎｓｍｉｔ  Ｔｒａｎｓｉｔｉｏｎ  Ｇａｐ）［μｓ］がある。なお、周波数としては、ＦＡの周波数［ＭＨｚ］を示してある。
【００１３】
図５には、ＷｉＭＡＸ  ＦＯＲＵＭにおけるＯＦＤＭＡのフレームの構成例を示してある。
本例では、複数のフレーム（・・・、ｎ−１、ｎ、ｎ＋１、・・・）が連続して並べられる。１個のフレームは、ダウンリンク（ＤＬ）のサブフレーム（Ｓｕｂｆｒａｍｅ）と、ＴＴＧと、アップリンク（ＵＬ）のサブフレーム（Ｓｕｂｆｒａｍｅ）から構成され、また、ＲＴＧが設けられる。
【００１４】
ダウンリンクのサブフレームは、プリアンブル（Ｐｒｅａｍｂｌｅ）と、ＦＣＨ（Ｆｒａｍｅ  Ｃｏｎｔｒｏｌ  Ｈｅａｄｅｒ）と、３個のダウンリンク（ＤＬ）のバースト（Ｂｕｒｓｔ）＃１〜＃３から構成される。ダウンリンク（ＤＬ）のバースト（Ｂｕｒｓｔ）は、オプショナル（ｏｐｔｉｏｎａｌ）なプリアンブル（Ｐｒｅａｍｂｌｅ）と、複数のＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）と、Ｐａｄから構成される。
アップリンクのサブフレームは、イニシャルレンジング（ｉｎｉｔｉａｌ  ｒａｎｇｉｎｇ）と、周波数帯域（ＢＷ：Ｂａｎｄ  Ｗｉｄｔｈ）のリクエスト（ＢＷ  ｒｅｑｕｅｓｔ）と、３個のアップリンク（ＵＬ）のバースト（Ｂｕｒｓｔ）＃１〜＃３から構成される。アップリンク（ＵＬ）のバースト（Ｂｕｒｓｔ）は、プリアンブル（Ｐｒｅａｍｂｌｅ）と、複数のＭＡＣ  ＰＤＵと、オプショナル（ｏｐｔｉｏｎａｌ）なミドアンブル（Ｍｉｄａｍｂｌｅ）と、複数のＭＡＣ  ＰＤＵと、Ｐａｄから構成される。
【００１５】
次に、一般的なＷｉＭＡＸ用のＴＲＸ−ＡＭＰの構成などについて説明する。
図６には、一般的なＷｉＭＡＸ用のＴＲＸ−ＡＭＰの構成例において、ＴＲＸ−ＡＭＰ内にシステムＴＤＤフラグ生成部２６を備えた場合の構成例を示してある。
ここで、図６に示されるＷｉＭＡＸ用のＴＲＸ−ＡＭＰ２０１の構成は、概略的には、後述する実施例で参照する図１に示されるものと比較して、マスクＴＤＤフラグ生成部２７が備えられていない点を除いては、同様であるが、後述する実施例で説明する新規な特徴部分については本願で新たに考え出されたものである。なお、図６では、図示の簡易化のために、図１に示されるものと同様な部分については同一の符号を付したが、ここでは、本発明を不要に限定する意図は無い。
なお、ＴＲＸ−ＡＭＰは送信と受信を行う増幅器であるが、図１や図６では、説明を簡易にするために、送信系のみが示されている。
【００１６】
概略的には、ＣＰＲＩの機能を２つ装備して、いずれか一方を選択してＵ−Ｐｌａｎｅ（ＩＱデータ）のフォーマットの変換を行い、信号処理を行った後に増幅してアンテナから出力を行う。信号処理部では、帯域制限のためのフィルタの処理や、直交変調の処理や、ピーク抑圧の処理や、歪補償の処理を行うことが一般的である。
また、ＢＴＳ側とＴＲＸ−ＡＭＰ側とでコマンドのやりとりを行う際には、ＣＰＲＩのＣ−ＰｌａｎｅのＭＩＩ（Ｍｅｄｉａ  Ｉｎｄｅｐｅｎｄｅｎｔ  Ｉｎｔｅｒｆａｃｅ）（Ｌａｙｅｒ２  データ）を使用して、互いのＣＰＵ（Ｃｅｎｔｒａｌ  Ｐｒｏｃｅｓｓｉｎｇ  Ｕｎｉｔ）の間でコマンドのやりとりを行うことが一般的である。
【００１７】
ＷｉＭＡＸ用のＴＲＸ−ＡＭＰでは、送信側においては２個のアンテナが用いられることが一般的である。この構成により、ＭＩＭＯやＳＩＳＯ（Ｓｉｎｇｌｅ  Ｉｎｐｕｔ  Ｓｉｎｇｌｅ  Ｏｕｔｐｕｔ）に対して柔軟に対応できるものとなっている。また、ＢＴＳ側からアンテナに対して１対１にキャリアを送受するような場合や、１系統にアンテナの１系と２系のキャリアが混在しているような運用の仕方に対しても、対応が可能となっている。
また、ＢＴＳ側とＷｉＭＡＸ用のＴＲＸ−ＡＭＰとを接続するシリアル伝送の規格としては、ＣＰＲＩとＯＢＳＡＩのいずれを採用することも可能であり、ＣＰＲＩやＯＢＳＡＩでの伝送レートがＷｉＭＡＸにおけるＯＦＤＭＡシンボルのレートを許容することができれば、ＯＦＤＭＡシンボルの伝送は可能である。
【００１８】
ＤＬ側では、基地局装置側からＵ−Ｐｌａｎｅに対して、ＴＤＤ方式により、比率に応じた長さのＩＱデータを生成し、ＴＲＸ−ＡＭＰ側へ高速シリアル転送を経由して出力する。ＴＲＸ−ＡＭＰ側では、ＣＰＲＩ／ＯＢＳＡＩのフレームに埋め込まれたＫ２８．５（８Ｂ１０Ｂコードで、基準タイミング信号）を基準に、ＴＤＤフラグを生成し、ＴＸ／ＲＸの時間的配分を制御している。ＴＸ／ＲＸが同時に動作することは無い。
【００１９】
ここで、背景技術について説明する。
なお、ここでは、ＣＰＲＩを使用した場合をモデルとして説明するが、ＣＰＲＩ、高速シリアル転送、８Ｂ１０Ｂなどの基本的な技術の説明については省略する。
【００２０】
システムＴＤＤ（図６に示されるＴＲＸ−ＡＭＰ２０１において点線で囲まれた部分）について説明する。
ＴＲＸ−ＡＭＰは、何を元に基地局側と同期を取るかを考えると、ＳＥＲＤＥＳから再生された８Ｂ１０Ｂコードから復元されたＫ２８．５（６６．６７μｓ）となる。このＫ２８．５は、ＣＰＲＩのＨＦＮ（Ｈｙｐｅｒ  Ｆｒａｍｅ）周期と同じであり、ＣＰＲＩフレームの基本フレームであるＢａｓｉｃ  Ｆｒａｍｅ（３．８４ＭＨｚ）×２５６分に相当する。
【００２１】
このＫ２８．５を基準に、ＴＲＸ−ＡＭＰ側（ＲＥ）では、ＷｉＭＡＸ用の基地局装置側のタイミング基準になる１ｐｐｓ（ＧＰＳ（Ｇｌｏｂａｌ  Ｐｏｓｉｔｉｏｎｉｎｇ  Ｓｙｓｔｅｍ）同期したもの）に対して、ある時間的な関係を守りつつシステムのＴＤＤフラグを生成する。
このシステムのＴＤＤフラグはＴＲＸ−ＡＭＰ側における送受信動作の全てのタイミングを握り、このフラグに同期している。ＤＬ側では、ＴＤＤの送信フレーム以外の領域は０データとなっており、ＴＲＸ−ＡＭＰとしても送信は停止する。
【００２２】
図７には、ＷｉＭＡＸにおける基地局装置（ＲＥＣ）とＡＭＰ（ＲＥ）との間の送信タイミングの一例を示してある。
図７に示されるように、通常、ＷｉＭＡＸにおけるＲＥＣとＲＥとの間の送信タイミングは、ＲＥＣ側の１ｐｐｓを基準に全てタイミングが同期設計される。また、Ｋ２８．５は、必ずしもＲＥＣ側のバースバンドデータ（Ｕ−Ｐｌａｎｅ）の先頭となるわけでは無い。
【００２３】
但し、システム的に、運用を成り立たせるために、制約が２点あり、一つ目は、ＲＥ側のＴＤＤタイミングよりも前にＵ−ＰｌａｎｅデータをＲＥＣ側出力することであり、二つ目は、ＲＥＣ側の１ｐｐｓがＲＥ側のＲＦ  ＯＵＴのＣＰ（Ｃｙｃｌｉｃ  Ｐｒｅｆｉｘ）と有効データの境界に位置し、その偏差が±１μｓとなっていることである。
この制約が守られれば、図７に示される各信号の関係はいくらでも成立することになる。
【００２４】
このため、ＲＥ側では、システムのＴＤＤよりも前にデータが前倒しされるために、データを大幅に遅延することができる遅延（Ｄｅｌａｙ）機能を必要とする。ＲＥＣ側も同様であり、１ｐｐｓに対して、どれくらいデータの開始位置を早めるか或いは遅らせるかを調整することができる機能が必要とされる。
【００２５】
このＷｉＭＡＸシステムにおいては、図７に示されるように、ＲＥＣ側から来るＵ−Ｐｌａｎｅの先頭が分からない。そこで、ＲＥＣ／ＲＥ間でＵ−Ｐｌａｎｅの先頭が分かるように、Ｉｎｄｉｃａｔｏｒ（５ｍｓ周期、ＷｉＭＡＸのフレームが５ｍｓ）をＣＰＲＩ／ＯＢＳＡＩ（ベンダーにより任意）に埋め込むことで、互いにＵ−Ｐｌａｎｅの先頭を認識することができるようになる。
【００２６】
ＲＥ側の遅延機能の遅延量は、一般的には、ＲＥＣ側からＬａｙｅｒ２経由（例えば、ＭＩＩ／ＨＤＬＣなど）で、コマンドにより与えられ、ＲＥＣ側が主導権を握る。
ＴＤＤであるため、５ｍｓフレーム内にＴＸ／ＲＸの動作が混在するが、ＤＬ（ＴＸ側）では、ＲＸ時間の領域においては、通常“０”データがＲＥＣ側のベースバンド（Ｂａｓｅ  Ｂａｎｄ）部分から出力される。
【００２７】
しかしながら、何かの要因によって、ベースバンド部分から“０”データ以外が出力される場合も十分に有り得る。この場合、図７に示される色付きの部分に“０”データ以外のデータが載っていて、ＴＤＤのタイミングとＲＦのタイミングがデジタルのようにはぴったり調整することが困難であるために多少のずれがあるときには、当該色付きの部分のデータについても送信出力されてしまう。これに際して、スプリアスを周波数帯域外に放射してしまう可能性は十分にある。
【００２８】
【特許文献１】特開２００８−０７９２４９号公報
【特許文献２】特開２００７−３０６３６２号公報
【発明の開示】
【発明が解決しようとする課題】
【００２９】
上述のように、ＷｉＭＡＸ用の無線装置では、ＴＤＤのＴＸ領域外の異常データによるスプリアス放射の可能性があった。
現段階では、ＤＬ側のＵ−Ｐｌａｎｅデータの制御（ＴＤＤ比率などの制御）は、ＲＥＣ側にゆだねられており、ＲＥ側では、ピーク抑圧、ＡＬＣ（Ａｕｔｏｍａｔｉｃ  Ｌｅｖｅｌ  Ｃｏｎｔｒｏｌ）などの機能により、Ｕ−Ｐｌａｎｅのレベル的な制御を行うことができても、突発的なスプリアスを防止することができない。
このようなスプリアスの原因は、ＲＥＣ側のＴＤＤとＲＦ  ＯＵＴがアナデジ（アナログ及びデジタル）混在或いはクロックの偏差などにより、調整してもぴったり一致することは無く、その隙間に、ＲＥＣ側でＴＤＤのＴＸ領域外の異常データが入り込むことである。
【００３０】
本発明は、このような従来の事情に鑑み為されたもので、ＴＤＤの送信領域外の異常データによるスプリアスの放射を防止することができる無線装置を提供することを目的とする。
【課題を解決するための手段】
【００３１】
上記目的を達成するため、本発明に係るＷｉＭＡＸ用の無線装置（ＲＥ）では、次のような構成とした。
すなわち、当該無線装置は、無線制御部（ＲＥＣに対応）と２本以上の高速シリアル伝送で接続され、インターフェース規格にＣＰＲＩ或いはＯＢＳＡＩを採用し、ＴＤＤ方式により、ＯＦＤＭＡシンボルを送受する機能を有している。そして、前記無線制御部からの受信信号に含まれるＵ−Ｐｌａｎｅの先頭を特定することを可能とするＩｎｄｉｃａｔｏｒを検出してＴＤＤ比率に基づいて、当該受信信号に含まれるＵ−ＰｌａｎｅにおけるＴＤＤ送信領域外のデータを０データへ置き換える（マスクする）手段を備えた。
従って、ＴＤＤの送信領域外の異常データによるスプリアスの放射を防止することができる。
【発明の効果】
【００３２】
以上説明したように、本発明に係るＷｉＭＡＸ用の無線装置によると、ＴＤＤの送信領域外の異常データによるスプリアスの放射を防止することができる。
【発明を実施するための最良の形態】
【００３３】
本発明に係る実施例を図面を参照して説明する。
図１には、本発明の一実施例に係るＷｉＭＡＸ用の無線装置に設けられたＴＲＸ−ＡＭＰ２の構成例と、基地局装置（ＢＴＳ）１を示してある。なお、ＴＲＸ−ＡＭＰ２については、受信側の構成の図示を省略してあり、送信側の構成のみを図示してある。
ＢＴＳ１は、第１のＳｅｒｄｅｓ１１と、第２のＳｅｒｄｅｓ１２を備えている。
【００３４】
ＴＲＸ−ＡＭＰ２は、第１のＳｅｒｄｅｓ２１と、第２のＳｅｒｄｅｓ２２と、再生クロックセレクタ２３と、ＰＬＬ（Ｐｈａｓｅ  Ｌｏｃｋ  Ｌｏｏｐ）２４と、ＣＰＲＩ部２５と、システムＴＤＤフラグ生成部２６と、マスクＴＤＤフラグ生成部２７と、送信信号処理部２８と、第１の増幅器２９と、第２の増幅器３０と、第１のアンテナ３１と、第２のアンテナ３２を備えている。
ＣＰＲＩ部２５には、ＤＬ側フレーマー４１と、Ｏ＆Ｍコントロール部４２と、フォーマット（Ｆｏｒｍａｔ）変換部４３を備えている。
送信信号処理部２８には、フィルタ（Ｆｉｌｔｅｒ）部５１と、直交変調部５２と、ピーク抑圧部５３と、歪補償部５４を備えている。
【００３５】
ここで、フォーマット変換部４３と、フィルタ部５１と、直交変調部５２と、ピーク抑圧部５３と、歪補償部５４については、それぞれ、アンテナ１系（第１の増幅器２９と第１のアンテナ３１からなる系）に対応する処理部（或いは、処理機能）と、アンテナ２系（第２の増幅器３０と第２のアンテナ３２からなる系）に対応する処理部（或いは、処理機能）を有している。
【００３６】
本例のＴＲＸ−ＡＭＰ２において行われる動作の概略的な一例を示す。
第１のＳｅｒｄｅｓ２１は、ＢＴＳ１の第１のＳｅｒｄｅｓ１１とＣＰＲＩ（他の構成例として、ＯＢＳＡＩ）で接続されてデータのやりとりが可能である。
同様に、第２のＳｅｒｄｅｓ２２は、ＢＴＳ１の第２のＳｅｒｄｅｓ１２とＣＰＲＩ（他の構成例として、ＯＢＳＡＩ）で接続されてデータのやりとりが可能である。
再生クロックセレクタ２３は、２個のＳｅｒｄｅｓ２１、２２からの情報及びＤＬ側フレーマー４１からの情報に基づいて、再生クロックを選択する。
ＰＬＬ２４は、再生クロックセレクタ２３からの情報に基づいて、ＰＬＬ処理した信号をＤＬ側フレーマー４１へ出力する。
【００３７】
ＤＬ側フレーマー４１は、２個のＳｅｒｄｅｓ２１、２２からの情報に基づいて、２個のＵ−Ｐｌａｎｅをフォーマット変換部４３へ出力し、また、１系或いは２系を選択してＣ−ＰｌａｎｅをＯ＆Ｍコントロール部４２へ出力する。
また、ＤＬ側フレーマー４１は、Ｋ２８．５の情報をシステムＴＤＤフラグ生成部２６へ出力し、Ｉｎｄｉｃａｔｏｒの情報をマスクＴＤＤフラグ生成部２７へ出力する。
Ｏ＆Ｍコントロール部４２は、入力されたＣ−Ｐｌａｎｅを処理する。
システムＴＤＤフラグ生成部２６は、入力情報に基づいてＴＤＤフラグを生成して、送信信号処理部２８へ出力する。
マスクＴＤＤフラグ生成部２７は、入力情報に基づいてフラグを生成して、フォーマット変換部４３へ出力する。
【００３８】
フォーマット変換部４３は、入力されたフラグに基づいて、入力されたＵ−Ｐｌａｎｅについて、フォーマットを変換してフィルタ部５１へ出力する。
フィルタ部５１は、入力された信号をフィルタリングして直交変調部５２へ出力する。
直交変調部５２は、入力された信号に対して直交変調を行い、その結果の信号をピーク抑圧部５３へ出力する。
ピーク抑圧部５３は、入力された信号について、ピークを抑圧して歪補償部５４へ出力する。
歪補償部５４は、入力された信号について、歪を補償して増幅器２９、３０へ出力する。
増幅器２９、３０は、入力された信号を増幅してアンテナ３１、３２へ出力する。
アンテナ３１、３２は、増幅器２９、３０からの信号を無線により送信する。
【００３９】
次に、本例のＴＲＸ−ＡＭＰ２における特徴的な構成について説明する。
本例のＴＲＸ−ＡＭＰ２は、図６に示される背景技術に係るＴＲＸ−ＡＭＰ２０１と比べて、端的に言うと、マスクＴＤＤフラグ生成部２７を備えている点で相違している。
マスクＴＤＤフラグ生成部２７は、ＲＥＣ／ＲＥ間でやり取りされるＩｎｄｉｃａｔｏｒ（Ｕ−Ｐｌａｎｅの先頭）からＴＤＤスプリアスマスク信号を生成する機能を有する。具体的には、Ｉｎｄｉｃａｔｏｒに基づいて、ＴＸの比率分だけのマスク信号を生成し、ＲＥＣ側からのＴＤＤ  ＴＸ領域外のＵ−Ｐｌａｎｅデータを“０”データにマスクする。
【００４０】
このような機能により、ＲＥ側では、２種類のＴＤＤ信号が存在し、一つはＲＦ出力タイミングを制御するＴＤＤフラグ信号（システムＴＤＤフラグ生成部２６によるもの）であり、もう一つは本例に特徴的な機能であるＴＤＤ  ＴＸ領域外の異常データによるスプリアス放射の防止用のＴＤＤフラグ（マスクＴＤＤフラグ生成部２７によるもの）である。
【００４１】
図２には、ＷｉＭＡＸにおける基地局装置（ＲＥＣ）とＡＭＰ（ＲＥ）との間の送信タイミングの一例を示してある。
図２に示されるように、本例では、ＲＥＣ側のＴＸ領域外の異常データ（色付き部分）がＩｎｄｉｃａｔｏｒとともに、ＲＥ側へ高速シリアル転送を経由して入力され、Ｕ−ＰｌａｎｅデータがＲＥ側ＣＰＲＩ入力端へ転送されてくる。そして、ＲＥ側のマスクＴＤＤフラグ生成部２７により、Ｉｎｄｉｃａｔｏｒを検知して、今現在の運用ＴＤＤ比率と同じＴＤＤフラグを生成する。この時、ＲＥ側の送信出力用ＴＤＤとは時間的に差分が生じている。
【００４２】
このようなマスク用ＴＤＤにより、フォーマット変換部４３が、ＣＰＲＩ部２５から送信信号処理部２８へ出力されるＵ−ＰｌａｎｅデータにおけるＴＤＤ  ＴＸ領域外の異常データを０データにマスクすることで、送信信号処理部２８は有効なＵ−Ｐｌａｎｅデータだけを処理することができ、このため、スプリアスを防止することができる。
なお、ＴＤＤ比率（ＴＸの比率分とＲＸの比率分）は、本例では、ＢＴＳ１により制御されてＴＲＸ−ＡＭＰ２へ通知されるが、他の構成例として、ＴＤＤ比率が一定である場合には、予めＢＴＳ１とＴＲＸ−ＡＭＰ２にＴＤＤ比率が設定されていてもよい。
【００４３】
以上のように、本例の無線部（ＲＥ）に相当するＴＲＸ−ＡＭＰ２では、本例の無線制御部（ＲＥＣ）に相当するＢＴＳ１と２本以上の高速シリアル伝送で接続され、インターフェース規格にＣＰＲＩ或いはＯＢＳＡＩを採用し、ＴＤＤ方式により、ＯＦＤＭＡシンボルを送受する機能を有する。
また、本例のＴＲＸ−ＡＭＰ２では、上記のような機能を搭載して、高速シリアル伝送で用いるＳｅｒｄｅｓ２１、２２が受信側で出力するリカバリークロックのうちのいずれか一つを選択して、基準クロックとＰＬＬ２４でロックした後のクロックでデジタルの動作を行う。
また、本例のＴＲＸ−ＡＭＰ２では、上記のような機能を搭載して、高速シリアル回線の状態に応じて、リカバリークロックのいずれか一つを選択することができる。
【００４４】
また、本例のＴＲＸ−ＡＭＰ２では、上記のような機能を搭載して、ＢＴＳ１と冗長構成で、高速シリアル伝送が接続されていない構成とすることができる。また、このような構成において、本例のＴＲＸ−ＡＭＰ２では、送信側でアンテナを２本分持つ構成とすることができる。
そして、本例では、以上に示したような特徴を有するＴＲＸ−ＡＭＰ２において、ＴＤＤ送信領域外の異常データによるスプリアスの放射に対する防止策を有する。
従って、本例のＴＲＸ−ＡＭＰ２では、ＲＥＣ側或いは外的要因により発生するＴＤＤ送信領域外の異常データによるスプリアス放射を防止することができる。
【００４５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４６】
【図１】本発明の一実施例に係るＷｉＭＡＸ用のＴＲＸ−ＡＭＰの構成例を示す図である。
【図２】本発明の一実施例に係るＷｉＭＡＸにおける基地局装置（ＲＥＣ）とＡＭＰ（ＲＥ）との間の送信タイミングの一例を示す図である。
【図３】（ａ）〜（ｃ）はＢＴＳとＴＲＸ−ＡＭＰとの接続の例を示す図である。
【図４】（ａ）は５ＭＨｚ、１０ＭＨｚ、２０ＭＨｚにおけるＦＦＴポイント数を示す図であり、（ｂ）は５ＭＨｚ、１０ＭＨｚ、２０ＭＨｚにおけるその他の情報を示す図である。
【図５】ＷｉＭＡＸ  ＦＯＲＵＭにおけるＯＦＤＭＡのフレームの構成例を示す図である。
【図６】ＷｉＭＡＸ用のＴＲＸ−ＡＭＰの構成例を示す図である。
【図７】ＷｉＭＡＸにおける基地局装置（ＲＥＣ）とＡＭＰ（ＲＥ）との間の送信タイミングの一例を示す図である。
【符号の説明】
【００４７】
１、１０１、１１１、１１２、１２１・・ＢＴＳ、  ２、１０２、１０３、１１３、１２２、１２３、２０１・・ＴＲＸ−ＡＭＰ、  １１、１２、２１、２２・・Ｓｅｒｄｅｓ、  ２３・・再生クロックセレクタ、  ２４・・ＰＬＬ、  ２５・・ＣＰＲＩ部、  ２６・・システムＴＤＤフラグ生成部、  ２７・・マスクＴＤＤフラグ生成部、  ２８・・送信信号処理部、  ２９、３０・・増幅器、  ３１、３２・・アンテナ、  ４１・・ＤＬ側フレーマー、  ４２・・Ｏ＆Ｍコントロール部、  ４３・・フォーマット変換部、  ５１・・フィルタ部、  ５２・・直交変調部、  ５３・・ピーク抑圧部、  ５４・・歪補償部、
【図１】
2010068133.tif 000003
【図２】
2010068133.tif 000004
【図３】
2010068133.tif 000005
【図４】
2010068133.tif 000006
【図５】
2010068133.tif 000007
【図６】
2010068133.tif 000008
【図７】
2010068133.tif 000009